【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
ＨＯＡ信号の係数領域表現（ｄ、Ｄ）から前記ＨＯＡ信号の混合した空間／係数領域表現（ｄ、ｗ；Ｄ、Ｗ）を生成する方法であって、連続する係数フレーム内で前記ＨＯＡ信号の数を経時的に可変とすることができ、
−ＨＯＡ係数領域信号のベクトル（ｄ、Ｄ）を、ある定数（Ｍ）のＨＯＡ係数を有する係数領域信号の第１のベクトル（ｄ１、Ｄ１）と、経時的に可変数（Ｋ）のＨＯＡ係数を有する係数領域信号の第２のベクトル（ｄ２、Ｄ２）とに分離することと、
−係数領域信号の前記第１のベクトル（ｄ１、Ｄ１）を、変換行列（Ψ）の逆行列（Ψ−１）で乗算することによって、係数領域信号の前記第１のベクトルを空間領域信号の対応するベクトル（ｗ１、Ｗ１）に変換することと、
−空間領域信号の前記ベクトル（ｗ１、Ｗ１）をＰＣＭ符号化してＰＣＭ符号化された空間領域信号のベクトル（ｗ’１、Ｗ’１）を取得することと、
−正規化因子
2016528538.tif 000001
によって係数領域信号の前記第２のベクトル（ｄ２、Ｄ２）を正規化することであって、前記正規化は、係数領域信号の前記第２のベクトル（ｄ２、Ｄ２）の前記ＨＯＡ係数の現在の値の範囲に対して適応的な正規化であり、前記正規化において前記ベクトルのＨＯＡ係数に対して利用可能な値の範囲は超過することがなく、前記現在の第２のベクトル内の利得を前の第２のベクトルにおける利得（ｇn（ｊ−２））から後続する第２のベクトルにおける利得（ｇn（ｊ−１））に連続的に変化させるために、前記正規化において、一様に連続する遷移関数（ｈn（ｊ−１））がその後現在の第２のベクトル（ｄ’２、Ｄ’２）を表す前記第２のベクトル（ｘｎ（ｊ））の係数に適用され、前記正規化は対応する復号器側の非正規化のための副情報（ｅ）を提供する、前記正規化することと、
−正規化された係数領域信号の前記現在の第２のベクトル（ｄ’２、Ｄ’２）をＰＣＭ符号化してＰＣＭ符号化され正規化された係数領域信号のベクトル（ｄ”２、Ｄ”２）を取得することと、
−ＰＣＭ符号化された空間領域信号の前記ベクトル（ｗ’１、Ｗ’１）とＰＣＭ符号化され正規化された係数領域信号の前記ベクトル（ｄ”２、Ｄ”２）とを多重化することと、
を含むことを特徴とする、前記方法。
【請求項２】
前記正規化は、
−現在の第２のベクトル（Ｄ２、ｘn（ｊ））の各係数を前の第２のベクトル（ｘn（ｊ−１））の正規化処理から保持された利得値（ｇn（ｊ−２））と乗算することと、
−結果として得られた前記正規化された第２のベクトルから前記絶対値の最大値（ｘn，ｍａｘ）を求めることと、
−前記最大値（ｘn，ｍａｘ）に時間的なスムージングを適用することであって、該適用は前の該スムージング済みの最大値（ｘn，ｍａｘ，ｓｍ（ｊ−２））を受信する再帰的フィルタを使用することによって行い、その結果現在の時間的なスムージング済みの最大値(ｘn，ｍａｘ，ｓｍ（ｊ−１））を得て、前記時間的なスムージングは、前記最大値（ｘn，ｍａｘ）が所定の値の範囲にある場合にのみ適用され、前記最大値（ｘn，ｍａｘ）が所定の値の範囲にない場合には、前記最大値（ｘn，ｍａｘ）がそのまま取得される、前記時間的なスムージングを適用することと、
−前記現在の時間的なスムージング済みの最大値（ｘn，ｍａｘ，ｓｍ（ｊ−１））から「２」を底とする冪指数として正規化利得を算出することによって、量子化された冪指数値（ｅn（ｊ−１））を取得することと、
−前記量子化された冪指数値（ｅn（ｊ−１））を遷移関数（ｈn（ｊ−１））に適用することによって現在の利得値（ｇn（ｊ−１））を取得することであって、前記遷移関数は、前記前の利得値（ｇn（ｊ−２））から前記現在の利得値（ｇn（ｊ−１））への連続的な遷移に使用される、前記適用することと、
−前記遷移関数（ｈn（ｊ−１））によって前の第２のベクトル（ｘn（ｊ−１））の各係数を重み付けすることによって、係数領域信号の前記正規化された第２のベクトル（Ｄ’2）を取得することと、
を含む、請求項１に記載の方法。
【請求項３】
前記現在の時間的なスムージング済みの最大値（ｘn，ｍａｘ，ｓｍ（ｊ−１））が下記の式によって算出され、
【数１】
2016528538.tif 000002
ｘn，ｍａｘは前記最大値を示し、０＜ａ≦１は減衰定数であり、ｊは、ＨＯＡ信号ベクトルの入力行列の連続するインデックスである、請求項２に記載の方法。
【請求項４】
前記多重化されたＨＯＡ信号は知覚符号化される、請求項１〜３のいずれか１項に記載の方法。
【請求項５】
ＨＯＡ信号の係数領域表現（ｄ、Ｄ）から前記ＨＯＡ信号の混合した空間／係数領域表現（ｄ、ｗ；Ｄ、Ｗ）を生成する装置であって、連続する係数フレーム内で前記ＨＯＡ信号の数を経時的に可変とすることができ、当該装置は、
−ＨＯＡ係数領域信号のベクトル（ｄ、Ｄ）を、ある定数（Ｍ）のＨＯＡ係数を有する係数領域信号の第１のベクトル（ｄ１、Ｄ１）と、経時的に可変数（Ｋ）のＨＯＡ係数を有する係数領域信号の第２のベクトル（ｄ２、Ｄ２）とに分離するように構成された手段と、
−係数領域信号の前記第１のベクトル（ｄ１、Ｄ１）を、変換行列（Ψ）の逆行列（Ψ−１）で乗算することによって、係数領域信号の前記第１のベクトルを空間領域信号の対応するベクトル（ｗ１、Ｗ１）に変換するように構成された手段と、
−空間領域信号の前記ベクトル（ｗ１、Ｗ１）をＰＣＭ符号化してＰＣＭ符号化された空間領域信号のベクトル（ｗ’１、Ｗ’１）を取得するように構成された手段と、
−正規化因子
2016528538.tif 000003
によって係数領域信号の前記第２のベクトル（ｄ２、Ｄ２）を正規化するように構成された手段であって、前記正規化は、係数領域信号の前記第２のベクトル（ｄ２、Ｄ２）の前記ＨＯＡ係数の現在の値の範囲に対して適応的な正規化であり、前記正規化において前記ベクトルのＨＯＡ係数に対する利用可能な値の範囲は超過することがなく、前記現在の第２のベクトル内の利得を前の第２のベクトルにおける利得（ｇn（ｊ−２））から後続する第２のベクトルにおける利得（ｇn（ｊ−１））に連続的に変化させるために、前記正規化において、一様に連続する遷移関数（ｈn（ｊ−１））がその後現在の第２のベクトル（ｄ’２、Ｄ’２）を表す前記第２のベクトル（ｘｎ（ｊ））の係数に適用され、前記正規化は対応する復号器側の非正規化のための副情報（ｅ）を提供する、前記手段と、
−正規化された係数領域信号の前記現在の第２のベクトル（ｄ’２、Ｄ’２）をＰＣＭ符号化してＰＣＭ符号化され正規化された係数領域信号のベクトル（ｄ”２、Ｄ”２）を取得するように構成された手段と、
−ＰＣＭ符号化された空間領域信号の前記ベクトル（ｗ’１、Ｗ’１）とＰＣＭ符号化され正規化された係数領域信号の前記ベクトル（ｄ”２、Ｄ”２）とを多重化するように構成された手段と、
を備える、前記装置。
【請求項６】
前記正規化は、
−現在の第２のベクトル（Ｄ２、ｘn（ｊ））の各係数を前の第２のベクトル（ｘn（ｊ−１））の正規化処理から保持された利得値（ｇn（ｊ−２））と乗算することと、
−結果として得られた前記正規化された第２のベクトルから前記絶対値の最大値（ｘn，ｍａｘ）を求めることと、
−前記最大値（ｘn，ｍａｘ）に時間的なスムージングを適用することであって、該適用は前の該スムージング済みの最大値（ｘn，ｍａｘ，ｓｍ（ｊ−２））を受信する再帰的フィルタを使用することによって行い、その結果現在の時間的なスムージング済みの最大値(ｘn，ｍａｘ，ｓｍ（ｊ−１））を得て、前記時間的なスムージングは、前記最大値（ｘn，ｍａｘ）が所定の値の範囲にある場合にのみ適用され、前記最大値（ｘn，ｍａｘ）が所定の値の範囲にない場合には、前記最大値（ｘn，ｍａｘ）がそのまま取得される、前記時間的なスムージングを適用することと、
−前記現在の時間的なスムージング済みの最大値（ｘn，ｍａｘ，ｓｍ（ｊ−１））から「２」を底とする冪指数として正規化利得を算出することによって、量子化された冪指数値（ｅn（ｊ−１））を取得することと、
−前記量子化された冪指数値（ｅn（ｊ−１））を遷移関数（ｈn（ｊ−１））に適用することによって現在の利得値（ｇn（ｊ−１））を取得することであって、前記遷移関数は、前記前の利得値（ｇn（ｊ−２））から前記現在の利得値（ｇn（ｊ−１））への連続的な遷移に使用される、前記適用することと、
−前記遷移関数（ｈn（ｊ−１））によって前の第２のベクトル（ｘn（ｊ−１））の各係数を重み付けすることによって、係数領域信号の前記正規化された第２のベクトル（Ｄ’2）を取得することと、
を含む、請求項５に記載の装置。
【請求項７】
前記現在の時間的なスムージング済みの最大値（ｘn，ｍａｘ，ｓｍ（ｊ−１））が下記の式によって算出され、
【数１】
2016528538.tif 000004
ｘn，ｍａｘは前記最大値を示し、０＜ａ≦１は減衰定数であり、ｊは、ＨＯＡ信号ベクトルの入力行列の連続するインデックスである、請求項６に記載の装置。
【請求項８】
前記多重化されたＨＯＡ信号は知覚符号化される、請求項５に記載の装置。
【請求項９】
符号化されたＨＯＡ信号の混合した空間／係数領域表現（ｄ、ｗ；Ｄ、Ｗ）を復号する方法であって、連続する係数フレーム内で前記ＨＯＡ信号の数を経時的に可変とすることができ、当該復号方法は、
−ＰＣＭ符号化された空間領域信号（ｗ’１、Ｗ’１）とＰＣＭ符号化され正規化された係数領域信号（ｄ”２、Ｄ”２）との前記多重化されたベクトルを逆多重化することと、
−ＰＣＭ符号化された空間領域信号の前記ベクトル（ｗ’１、Ｗ’１）を前記変換行列（Ψ）と乗算することによってＰＣＭ符号化された空間領域信号の前記ベクトル（ｗ’１、Ｗ’１）を係数領域信号の対応するベクトル（ｄ’1、Ｄ’1）に変換することと、
−ＰＣＭ符号化され正規化された係数領域信号の前記ベクトル（ｄ”２、Ｄ”２）を非正規化することであって、当該非正規化は、
−−受信された前記副情報（ｅ）の対応する冪指数ｅn（ｊ−１）および再帰的に算出された利得値ｇn（ｊ−２）を使用して、遷移ベクトルｈn（ｊ−１）を算出することであって、処理されるＰＣＭ符号化され正規化された係数領域信号の後続するベクトル（Ｄ”２）の対応する処理に対する利得値ｇn（ｊ−１）が保持され、ｊはＨＯＡ信号ベクトルの入力行列の連続するインデックスである、前記遷移ベクトルを算出することと、
−−ＰＣＭ符号化され正規化された信号の現在のベクトル（ｘ”ｎ（ｊ−１）、Ｄ”２）に対して対応する逆利得値を適用して前記ＰＣＭ符号化され非正規化された信号の対応するベクトル
2016528538.tif 000005
を取得することと、
を含む、前記非正規化することと、
−係数領域信号の前記ベクトル（ｄ’1、Ｄ’1）および非正規化された係数領域のベクトル
2016528538.tif 000006
を合成して可変数のＨＯＡ係数を有することができるＨＯＡ係数領域信号の結合されたベクトル（ｄ’、Ｄ’）を取得することと、
を含む、前記方法。
【請求項１０】
前記多重化され知覚符号化されたＨＯＡ信号は、対応して、逆多重化される前に知覚復号される、請求項９に記載の方法。
【請求項１１】
符号化されたＨＯＡ信号の混合した空間／係数領域表現（ｄ、ｗ；Ｄ、Ｗ）を復号する装置であって、連続する係数フレーム内で前記ＨＯＡ信号の数を経時的に可変とすることができ、前記復号装置は、
−ＰＣＭ符号化された空間領域信号（ｗ’１、Ｗ’１）とＰＣＭ符号化され正規化された係数領域信号（ｄ”２、Ｄ”２）との前記多重化されたベクトルを逆多重化するように構成された手段と、
−ＰＣＭ符号化された空間領域信号の前記ベクトル（ｗ’１、Ｗ’１）を前記変換行列（Ψ）と乗算することによってＰＣＭ符号化された空間領域信号の前記ベクトル（ｗ’１、Ｗ’１）を係数領域信号の対応するベクトル（ｄ’1、Ｄ’1）に変換するように構成された手段と、
−ＰＣＭ符号化され正規化された係数領域信号の前記ベクトル（ｄ”２、Ｄ”２）を非正規化するように構成された手段であって、当該非正規化は、
−−受信された前記副情報（ｅ）の対応する冪指数ｅn（ｊ−１）および再帰的に算出された利得値ｇn（ｊ−２）を使用して、遷移ベクトルｈn（ｊ−１）を算出することであって、処理されるＰＣＭ符号化され正規化された係数領域信号の後続するベクトル（Ｄ”２）の対応する処理に対する利得値ｇn（ｊ−１）が保持され、ｊはＨＯＡ信号ベクトルの入力行列の連続するインデックスである、前記遷移ベクトルを算出することと、
−−ＰＣＭ符号化され正規化された信号の現在のベクトル（ｘ”ｎ（ｊ−１）、Ｄ”２）に対して対応する逆利得値を適用することによって、前記ＰＣＭ符号化され非正規化された信号の対応するベクトル
2016528538.tif 000007
を取得することと、
を含む、前記非正規化するように構成された手段と、
−係数領域信号の前記ベクトル（ｄ’1、Ｄ’1）および非正規化された係数領域のベクトル
2016528538.tif 000008
を合成して可変数のＨＯＡ係数を有することができるＨＯＡ係数領域信号の結合されたベクトル（ｄ’、Ｄ’）を取得するように構成された手段と、
を備える、前記装置。
【請求項１２】
前記多重化され知覚符号化されたＨＯＡ信号は、対応して、逆多重化される前に知覚復号される、請求項１１に記載の装置。
【請求項１３】
実行可能な命令を記憶した記憶媒体であって、該実行可能な命令は、実行された際にコンピュータに請求項９に記載の方法を実行させる、前記記憶媒体。
【請求項１４】
請求項１〜４のいずれか一項に記載の方法に従って符号化されたデジタル・オーディオ信号を包含又は記憶、又はそれに記録した記憶媒体。
【請求項１５】
ＨＯＡ信号の係数領域表現（ｄ、Ｄ）から前記ＨＯＡ信号の混合した空間／係数領域表現（ｄ、ｗ；Ｄ、Ｗ）を生成する装置であって、連続する係数フレーム内で前記ＨＯＡ信号の数を経時的に可変とすることができ、
一連のコンピュータ実行可能命令を記憶するように構成されたメモリと、
前記一連のコンピュータ実行可能命令を実行するように構成されたプロセッサと、
を含み、
前記一連のコンピュータ実行可能命令は、前記プロセッサに実行されたときに、前記プロセッサに請求項１〜４のいずれか一項に記載の方法を実行されるように動作する、装置。
【請求項１６】
符号化されたＨＯＡ信号の混合した空間／係数領域表現（ｄ、ｗ；Ｄ、Ｗ）を復号する装置であって、連続する係数フレーム内で前記ＨＯＡ信号の数を経時的に可変とすることができ、符号化されたＨＯＡ信号の前記混合した空間／係数領域表現（ｄ、ｗ；Ｄ、Ｗ）は請求項１に従って生成されており、前記復号装置は、
一連のコンピュータ実行可能命令を記憶するように構成されたメモリと、
前記一連のコンピュータ実行可能命令を実行するように構成されたプロセッサと、
を含み、
前記一連のコンピュータ実行可能命令は、前記プロセッサに実行されたときに、前記プロセッサに請求項９又は１０のいずれか一項に記載の方法を実行されるように動作する、装置。